(57)【要約】      （修正有）【課題】レンズに対する光源の焦点を調整することができる防水クランクシャフト焦点調整ライトを提供する。【解決手段】防水クランクシャフト焦点調整ライトは、筐体１０と、筐体１０上に取付けられた調節つまみ２０と、筐体１０内に取付けられたスライド溝アセンブリ３０と、光源４０と、レンズ５０とを備える。筐体１０上には、出光口１３が設けられる。レンズ５０、光源４０及びスライド溝アセンブリ３０は、出光口１３に外側から内側にかけて順次配設される。光源４０は、スライド溝アセンブリ３０上に取付けられるとともにレンズ５０に対して内外対向配置される。調節つまみ２０は、筐体１０の外側に取付けられるとともに、スライド溝アセンブリ３０上まで内方に延び、調節つまみ２０の内側の中心位置からずれた箇所には、伝動クランクシャフト２２２が設けられる。【選択図】図２
0003228550.tif 000002
【実用新案登録請求の範囲】
【請求項１】
筐体と、前記筐体上に取付けられた調節つまみと、前記筐体内に取付けられたスライド溝アセンブリと、光源と、レンズと、を備えた、防水クランクシャフト焦点調整ライトであって、
前記筐体上には、出光口が設けられ、
前記レンズ、前記光源及び前記スライド溝アセンブリは、前記出光口に外側から内側にかけて順次配設され、前記光源は、前記スライド溝アセンブリ上に取付けられるとともに前記レンズに対して内外対向配置され、前記調節つまみは、前記筐体の外側に取付けられるとともに、前記スライド溝アセンブリ上まで内方に延び、前記調節つまみの内側の中心位置からずれた箇所には、伝動クランクシャフトが設けられ、
前記スライド溝アセンブリは、スライド溝フレームを含み、
前記スライド溝フレームの底面中央部には、上下に完全に貫通した帯状の位置調整スライド溝が形成され、
前記位置調整スライド溝は、出光方向に対して垂直に左右に延び、
前記伝動クランクシャフトは、前記位置調整スライド溝内に至るまで延びることを特徴とする、防水クランクシャフト焦点調整ライト。
【請求項２】
前記調節つまみは、調節部と、前記調節部の内側に配設された位置規制部と、を有し、
前記調節部は、前記筐体の外側に配設され、
前記位置規制部は、前記筐体の内側に配設され、
前記伝動クランクシャフトは、前記位置規制部の内側端面上に配設されることを特徴とする請求項１に記載の防水クランクシャフト焦点調整ライト。
【請求項３】
前記筐体の底面上には、底壁に上下に完全に貫通した貫通孔と、
前記調節つまみは、前記調節部及び前記位置規制部に接続された接続部を有し、
前記接続部は、前記貫通孔内に挿通されることを特徴とする請求項２に記載の防水クランクシャフト焦点調整ライト。
【請求項４】
前記筐体の内側の互いに対向した両側面上には、スライド溝がそれぞれ形成され、
前記スライド溝フレームの両側には、対応した前記スライド溝内にそれぞれ係合されるとともに、前記スライド溝の前後で移動することを特徴とする請求項１に記載の防水クランクシャフト焦点調整ライト。
【請求項５】
前記スライド溝フレームは、底板と、前記底板の一側に配設された側板と、を有し、
前記位置調整スライド溝は、前記底板上に配設され、
前記光源は、前記側板上に取付けられるとともに、前記レンズに対して対向配置されることを特徴とする請求項１に記載の防水クランクシャフト焦点調整ライト。
【請求項６】
前記位置規制部上には、カムが設けられ、
前記伝動クランクシャフトは、前記カムの頂面の一側辺に設けられることを特徴とする請求項２に記載の防水クランクシャフト焦点調整ライト。
【請求項７】
前記位置規制部の底端面は、前記筐体の内側底面に接合され、
接続部の外側面には、シールリングが嵌設されることを特徴とする請求項２に記載の防水クランクシャフト焦点調整ライト。
【考案の詳細な説明】
【技術分野】
【０００１】
本考案は、ライトに関し、特に、防水クランクシャフト焦点調整ライトに関するものである。
【背景技術】
【０００２】
社会の進歩に伴い、個々人が求めるレベルは向上し続け、身の回りにある物が常に発展し、照明器具のような生活必需品も徐々に発展しており、人々の照明器具に対する要求も徐々に高まっている。状況に応じて光角度が異なるライトを使用し、様々な照明効果を得ていた。しかし、従来のライトは焦点を調整することができない上、出光角度が固定されていた。そのため、場所に応じて異なる光角度が得られるように、異なる光角度を有するライトをそれぞれ購入しなければならず、ユーザの購買コスト及び装着コストが大幅に増加し、実用的でなかった。
【考案の概要】
【考案が解決しようとする課題】
【０００３】
本考案の目的は、焦点調整ができず、出光角度が固定されていた従来のライトの問題点を改善する防水クランクシャフト焦点調整ライトを提供することにある。
【課題を解決するための手段】
【０００４】
上記課題を解決するために、本考案の第１の形態によれば、筐体と、前記筐体上に取付けられた調節つまみと、前記筐体内に取付けられたスライド溝アセンブリと、光源と、レンズと、を備えた、防水クランクシャフト焦点調整ライトであって、前記筐体上には、出光口が設けられ、前記レンズ、前記光源及び前記スライド溝アセンブリは、前記出光口に外側から内側にかけて順次配設され、前記光源は、前記スライド溝アセンブリ上に取付けられるとともに前記レンズに対して内外対向配置され、前記調節つまみは、前記筐体の外側に取付けられるとともに、前記スライド溝アセンブリ上まで内方に延び、前記調節つまみの内側の中心位置からずれた箇所には、伝動クランクシャフトが設けられ、前記スライド溝アセンブリは、スライド溝フレームを含み、前記スライド溝フレームの底面中央部には、上下に完全に貫通した帯状の位置調整スライド溝が形成され、前記位置調整スライド溝は、出光方向に対して垂直に左右に延び、前記伝動クランクシャフトは、前記位置調整スライド溝内に至るまで延びることを特徴とする、防水クランクシャフト焦点調整ライトを提供する。
【０００５】
前記調節つまみは、調節部と、前記調節部の内側に配設された位置規制部と、を有し、  前記調節部は、前記筐体の外側に配設され、前記位置規制部は、前記筐体の内側に配設され、前記伝動クランクシャフトは、前記位置規制部の内側端面上に配設されることが好ましい。
【０００６】
前記筐体の底面上には、底壁に上下に完全に貫通した貫通孔と、前記調節つまみは、前記調節部及び前記位置規制部に接続された接続部を有し、前記接続部は、前記貫通孔内に挿通されることが好ましい。
【０００７】
前記筐体の内側の互いに対向した両側面上には、スライド溝がそれぞれ形成され、前記スライド溝フレームの両側には、対応した前記スライド溝内にそれぞれ係合されるとともに、前記スライド溝の前後で移動することが好ましい。
【０００８】
前記スライド溝フレームは、底板と、前記底板の一側に配設された側板と、を有し、前記位置調整スライド溝は、前記底板上に配設され、前記光源は、前記側板上に取付けられるとともに、前記レンズに対して対向配置されることが好ましい。
【０００９】
前記位置規制部上には、カムが設けられ、前記伝動クランクシャフトは、前記カムの頂面の一側辺に設けられることが好ましい。
【００１０】
前記位置規制部の底端面は、前記筐体の内側底面に接合され、接続部の外側面には、シールリングが嵌設されることが好ましい。
【考案の効果】
【００１１】
本考案は、前記の通りの構成からなるものであり、調節つまみ及びスライド溝アセンブリを有し、光源をスライド溝アセンブリ上に取付け、調節つまみを捻ると、カムによりスライド溝アセンブリを伝動し、スライド溝アセンブリにより光源を前後に往復運動させることにより、レンズに対する光源の焦点を調整することができる。そのため、本考案の防水クランクシャフト焦点調整ライトは、操作し易く、構造が簡素で、低コストである上、防水性に優れ、実用的なため、普及させる価値がある。
【図面の簡単な説明】
【００１２】
【図１】本考案の一実施形態に係る防水クランクシャフト焦点調整ライトを示す斜視図である。
【図２】本考案の一実施形態に係る防水クランクシャフト焦点調整ライトを示す分解斜視図である。
【図３】本考案の一実施形態に係る防水クランクシャフト焦点調整ライトの筐体を示す断面斜視図である。
【図４】図３に調節つまみ、スライド溝アセンブリを組み合わせた状態を示す断面斜視図である。
【図５】筐体に調節つまみ、スライド溝アセンブリを組み合わせた状態を示す組立図である。
【図６】調節つまみとスライド溝アセンブリとを組み合わせた状態を示す斜視図である。
【図７】本考案の一実施形態に係る防水クランクシャフト焦点調整ライトを示す断面図である。
【考案を実施するための形態】
【００１３】
以下、図面により、本考案を具体的に説明する。もっとも、本考案は、かかる図面により限定されるものではない。
【００１４】
図１〜図７を参照する。図１〜図７に示すように、本考案の一実施形態に係る防水クランクシャフト焦点調整ライトは、少なくとも筐体１０、調節つまみ２０、スライド溝アセンブリ３０、光源４０及びレンズ５０から構成されてなる。上述した筐体１０上には、出光口が設けられる。レンズ５０は、出光口内に取付けられる。上述したスライド溝アセンブリ３０は、レンズ５０の内側の筐体１０内に取付けられる。上述した光源４０は、レンズ５０の一側のスライド溝アセンブリ３０上に取付けられる。調節つまみ２０は、筐体１０の外側に取付けられるとともに、内方に延びてスライド溝アセンブリ３０上に噛合される。調節つまみ２０を回転させると、スライド溝アセンブリ３０を伝動して光源４０が前後に移動し、レンズ５０上の光源４０を調整し、焦点を調整することができる。
【００１５】
上述した筐体１０の底面上には、底壁に上下に貫通した貫通孔１４が形成されている。筐体１０内側の互いに対向した両側面上には、スライド溝１１がそれぞれ形成されている。また、上述した筐体１０上には、取付部１２が設けられる。筐体１０は、取付部１２により任意のランプフレーム又はランプホルダ上に取付けられる。上述した調節つまみ２０は、調節部２１と、位置規制部２２と、調節部２１及び位置規制部２２に接続された接続部２３と、を含む。上述した調節部２１は、筐体１０の外側に設けられ、位置規制部２２は、筐体１０内に設けられ、位置規制部２２の底端面が筐体１０の内側底面に接合される。上述した接続部２３は、貫通孔１４内に挿通される。接続部２３の外側面には、シールリング６０が嵌設され、防水密封効果を高めることができる。
【００１６】
上述した位置規制部２２の頂面には、カム２２１が設けられる。上述したカム２２１の頂面の一側辺には、伝動クランクシャフト２２２が設けられる。上述した伝動クランクシャフト２２２は、スライド溝アセンブリ３０内に至るまで上方へ延びる。上述したスライド溝アセンブリ３０は、スライド溝フレーム３１と、スライド溝フレーム３１上に取付けられた電気製品３２と、を含む。上述したスライド溝フレーム３１は、底板３１１と、底板３１１の一側に配設された側板３１２と、を含む。上述した側板３１２は、ランプの出光口の一側に配設される。上述した底板３１１の両側は、筐体１０の２つのスライド溝１１内にそれぞれ取付けられ、スライド溝１１で前後に移動し、底板３１１の中央部には、帯状の位置調整スライド溝３１３が形成される。
【００１７】
上述した位置調整スライド溝３１３は、出光方向に対して垂直に左右に延びる。上述した伝動クランクシャフト２２２は、上述した位置調整スライド溝３１３内に至るまで延びる。伝動クランクシャフト２２２は、位置調整スライド溝３１３の内側面に噛合される。上述した電気製品３２は、側板３１２の内側面上に取付けられ、光源４０が側板３１２の外側面上に取付けられるとともに、レンズ５０に対して前後対応配置される。
【００１８】
焦点を調整する場合、上述した調節つまみ２０を回すと、カム２２１が回転し、カム２２１により伝動クランクシャフト２２２が回転し、伝動クランクシャフト２２２が位置調整スライド溝３１３に伝動する。調節つまみ２０の回転過程では、伝動クランクシャフト２２２が位置調整スライド溝３１３で左右に移動し、スライド溝フレーム３１を押動して前後に往復移動し、スライド溝フレーム３１が光源４０を前後に往復移動させると、レンズ上での光源の焦点を調整することができる。
【００１９】
上述したことから分かるように、本考案の防水クランクシャフト焦点調整ライトは、調節つまみ２０及びスライド溝アセンブリ３０を有し、光源４０をスライド溝アセンブリ３０上に取付け、調節つまみ２０を捻ると、カム２２１によりスライド溝アセンブリ３０を伝動し、スライド溝アセンブリ３０により光源４０を前後に往復運動させることにより、レンズ５０に対する光源４０の焦点を調整することができる。そのため、本考案の防水クランクシャフト焦点調整ライトは、操作し易く、構造が簡素で、低コストである上、防水性に優れ、実用的なため、普及させる価値がある。
【符号の説明】
【００２０】
１０  筐体
１１  スライド溝
１２  取付部
１３  出光口
１４  貫通孔
２０  調節つまみ
２１  調節部
２２  位置規制部
２３  接続部
３０  スライド溝アセンブリ
３１  スライド溝フレーム
３２  電気製品
４０  光源
４１  伝動歯車
４２  伝動軸
５０  レンズ
６０  シールリング
２２１  カム
２２２  伝動クランクシャフト
３１１  底板
３１２  側板
３１３  位置調整スライド溝
【図１】
0003228550.tif 000003
【図２】
0003228550.tif 000004
【図３】
0003228550.tif 000005
【図４】
0003228550.tif 000006
【図５】
0003228550.tif 000007
【図６】
0003228550.tif 000008
【図７】
0003228550.tif 000009